(57)【要約】【課題】音響信号の各周波数成分の定位方向を複数の時点について確認できるようにする。【解決手段】定位解析部３４は、音響信号ｘ(t)の各周波数成分の定位方向θ[k]を単位期間毎に解析する。表示制御部３６は、音響信号ｘ(t)のうち第１対象時点Ｔ1に対応する単位期間の各周波数成分の定位方向θ[k]の分布を表現する第１解析画像Ｑ1と、音響信号ｘ(t)のうち第１対象時点Ｔ1とは相違する第２対象時点Ｔ2に対応する単位期間の各周波数成分の定位方向θ[k]の分布を表現する第２解析画像Ｑ2とを表示装置２２に並列に表示させる。【選択図】図１
2013157730.tif 000002
【特許請求の範囲】
【請求項１】
音響信号の各周波数成分の定位方向を単位期間毎に解析する定位解析手段と、
前記音響信号のうち第１対象時点に対応する単位期間の各周波数成分の定位方向の分布を表現する第１解析画像と、前記音響信号のうち前記第１対象時点とは相違する第２対象時点に対応する単位期間の各周波数成分の定位方向の分布を表現する第２解析画像とを表示装置に並列に表示させる表示制御手段と
を具備する音響解析装置。
【請求項２】
前記第１解析画像および前記第２解析画像の各々は、前記音響信号の各周波数成分の定位方向を示す定位軸と各周波数成分の周波数を示す周波数軸とが設定された定位-周波数平面に、各周波数成分の定位方向に対応した音像図形を配置した画像である
請求項１の音響解析装置。
【請求項３】
前記表示制御手段は、定位-周波数平面内に指定された第１選択領域内の各周波数成分を抑圧または強調した前記音響信号について前記第１解析画像を表示させる
請求項２の音響解析装置。
【請求項４】
前記表示制御手段は、前記第１選択領域とは別個に指定された第２選択領域内の各周波数成分を抑圧または強調した前記音響信号について前記第２解析画像を表示させる
請求項３の音響解析装置。
【請求項５】
前記第１解析画像は、前記音響信号のうち前記第１対象時点に対応する単位期間内の各周波数成分の度数を、定位方向の数値範囲を区分した階級毎に表示する度数分布を含み、
前記第２解析画像は、前記音響信号のうち前記第２対象時点に対応する単位期間内の各周波数成分の度数を、定位方向の数値範囲を区分した階級毎に表示する度数分布を含む
請求項１の音響解析装置。
【発明の詳細な説明】
【技術分野】
【０００１】
本発明は、音響信号を解析して結果を表示する技術に関する。
【背景技術】
【０００２】
音響信号の各周波数成分の定位方向を示す定位軸と各周波数成分の周波数を示す周波数軸とが設定された定位-周波数平面での強度分布を表示装置に表示させる技術が例えば特許文献１に開示されている。利用者は、表示画像を視認することで音響信号の各周波数成分の定位方向を確認することが可能である。
【先行技術文献】
【特許文献】
【０００３】
【特許文献１】特開２０１１−１５８６７４号公報
【発明の概要】
【発明が解決しようとする課題】
【０００４】
しかし、特許文献１の技術では、音響信号のうち時間軸上の特定の１個の時点における各周波数成分の定位方向のみが表示されるから、例えば相異なる複数の時点における各周波数成分の定位方向を相互に対比するといった作業が困難であるという問題がある。以上の事情を考慮して、本発明は、音響信号の各周波数成分の定位方向を時間軸上の複数の時点について利用者が容易に確認できるようにすることを目的とする。
【課題を解決するための手段】
【０００５】
以上の課題を解決するために本発明が採用する手段を説明する。なお、本発明の理解を容易にするために、以下の説明では、本発明の要素と後述の実施形態の要素との対応を括弧書で付記するが、本発明の範囲を実施形態の例示に限定する趣旨ではない。
【０００６】
本発明の第１態様に係る音響解析装置（例えば音響解析装置１００A）は、音響信号の各周波数成分の定位方向を単位期間毎に解析する定位解析手段（例えば定位解析部３４）と、音響信号のうち第１対象時点（例えば第１対象時点Ｔ1）に対応する単位期間の各周波数成分の定位方向の分布を表現する第１解析画像（例えば第１解析画像Ｑ1）と、音響信号のうち第１対象時点とは相違する第２対象時点（例えば第２対象時点Ｔ2）に対応する単位期間の各周波数成分の定位方向の分布を表現する第２解析画像（例えば第２解析画像Ｑ2）とを表示装置に並列に表示させる表示制御手段（例えば表示制御部３６）とを具備する。以上の構成では、音響信号のうち第１対象時点に対応する単位期間の各周波数成分について定位方向の分布を表現する第１解析画像と、音響信号のうち第２対象時点に対応する単位期間の各周波数成分について定位方向の分布を表現する第２解析画像とが、表示装置に並列に表示される。したがって、音響信号の各周波数成分の定位方向の分布を第１対象時点と第２対象時点との間で相互に対比しながら容易に確認することが可能である。第１態様の具体例は例えば第１実施形態や第２実施形態として後述される。
【０００７】
本発明の好適な態様において、第１解析画像および第２解析画像の各々は、音響信号の各周波数成分の定位方向を示す定位軸と各周波数成分の周波数を示す周波数軸とが設定された定位-周波数平面（例えば定位-周波数平面Ｒ）に、各周波数成分の定位方向に対応した音像図形（例えば音像図形ｒ）を配置した画像である。以上の態様では、各周波数成分の定位方向に対応した音像図形が定位-周波数平面に配置されるから、各周波数成分の定位方向を視覚的および直観的に把握できるという利点がある。
【０００８】
本発明の好適な態様において、表示制御手段は、定位-周波数平面内に指定された第１選択領域（例えば第１選択領域Ｓ1）内の各周波数成分を抑圧または強調した音響信号について第１解析画像を表示させる。以上の構成では、第１選択領域内の各周波数成分を抑圧または強調した音響信号について第１解析画像が表示されるから、例えば第１選択領域内の各周波数成分を抑圧または強調する前後における各周波数成分の定位方向の相違を、利用者が視覚的および直観的に把握することが可能である。さらに、第１選択領域とは別個に指定された第２選択領域（例えば第２選択領域Ｓ2）内の各周波数成分を抑圧または強調した音響信号について表示制御手段が第２解析画像を表示させる構成によれば、第１選択領域内の各周波数成分が抑圧または強調された音響信号の各周波数成分の定位方向と、第２選択領域内の各周波数成分が抑圧または強調された音響信号の各周波数成分の定位方向との相違を、利用者が視覚的および直観的に把握することが可能である。
【０００９】
本発明の好適な態様において、第１解析画像は、音響信号のうち第１対象時点に対応する単位期間内の各周波数成分の度数を、定位方向の数値範囲を区分した階級毎に表示する度数分布（例えば度数分布ＨP）を含み、第２解析画像は、音響信号のうち第２対象時点に対応する単位期間内の各周波数成分の度数を、定位方向の数値範囲を区分した階級毎に表示する度数分布（例えば度数分布ＨP）を含む。以上の態様では、定位方向の階級毎に周波数成分の度数を計数した度数分布が第１対象時点と第２対象時点との各々について表示装置に表示されるから、音響信号の各周波数成分の定位方向の分布を第１対象時点と第２対象時点との間で相互に対比しながら容易に確認することが可能である。以上の態様の具体例は例えば第２実施形態として後述される。
【００１０】
なお、特許文献１の技術では、音響信号のうち時間軸上の特定の１個の時点における各周波数成分の定位方向が表示されるから、例えば相異なる定位方向の周波数成分を抑圧または強調した複数の場合について音響信号の各周波数成分の定位方向を相互に対比するといった作業が困難であるという問題がある。以上の事情を考慮して、本発明の第２態様に係る音響解析装置（例えば音響解析装置１００B）は、音響信号の各周波数成分の定位方向を単位期間毎に解析する定位解析手段（例えば定位解析部３４）と、音響信号の各周波数成分の定位方向を示す定位軸と各周波数成分の周波数を示す周波数軸とが設定された定位-周波数平面（例えば定位-周波数平面Ｒ）に、音響信号のうち対象時点（例えば対象時点Ｔ）に対応する単位期間の各周波数成分の定位方向に対応した音像図形（例えば音像図形ｒ）を配置した画像を、第１解析画像（例えば第１解析画像Ｑ1）および第２解析画像（例えば第２解析画像Ｑ2）として表示装置に表示させる表示制御手段（例えば表示制御部３６）とを具備し、表示制御手段は、定位-周波数平面内に指定された第１選択領域（例えば第１選択領域Ｓ1）内の各周波数成分を抑圧または強調した音響信号について第１解析画像を表示させる。以上の態様では、第１選択領域内の各周波数成分を抑圧または強調した音響信号の第１解析画像と、第１選択領域とは相違する第２選択領域内の各周波数成分を抑圧または強調した音響信号や抑圧または強調されていない音響信号の第２解析画像とが、表示装置に並列に表示される。したがって、例えば相異なる定位方向の周波数を抑圧または強調した複数の場合の各周波数成分の定位方向や、第１選択領域内の各周波数成分を抑圧または強調する前後の各周波数成分の定位方向を、相互に対比しながら容易に確認することが可能である。第２態様の具体例は例えば第３実施形態や第４実施形態として後述される。
【００１１】
第２態様に係る音響解析装置の好適例において、表示制御手段は、第１選択領域とは別個に指定された第２選択領域（例えば第２選択領域Ｓ2）内の各周波数成分を抑圧または強調した音響信号について第２解析画像を表示させる。以上の構成によれば、第１選択領域内の各周波数成分が抑圧または強調された音響信号の各周波数成分の定位方向と、第２選択領域内の各周波数成分が抑圧または強調された音響信号の各周波数成分の定位方向との相違を、利用者が視覚的および直観的に把握することが可能である。
【００１２】
第２態様に係る音響解析装置の好適例において、表示制御手段は、第１選択領域内の各周波数成分を抑圧または強調した音響信号と、第２選択領域内の各周波数成分を抑圧または強調した音響信号との差分を示す差分画像（例えば差分画像Ｄ）を表示装置に表示させる。以上の態様では、第１選択領域内の各周波数成分を抑圧または強調した音響信号と第２選択領域内の各周波数成分を抑圧または強調した音響信号との差分を表現する差分画像が表示装置に表示されるから、第１選択領域内の各周波数成分を抑圧した場合と第２選択領域内の各周波数成分を抑圧した場合との効果の相違を利用者が容易に把握できるという利点がある。
【００１３】
以上の各態様に係る音響解析装置は、音響信号の解析に専用されるＤＳＰ（Digital Signal Processor）などのハードウェア（電子回路）によって実現されるほか、ＣＰＵ（Central Processing Unit）等の汎用の演算処理装置とプログラムとの協働によっても実現される。本発明の第１態様に係るプログラムは、音響信号の各周波数成分の定位方向を単位期間毎に解析する定位解析処理と、音響信号のうち第１対象時点に対応する単位期間の各周波数成分の定位方向の分布を表現する第１解析画像と、音響信号のうち第１対象時点とは相違する第２対象時点に対応する単位期間の各周波数成分の定位方向の分布を表現する第２解析画像とを表示装置に並列に表示させる表示制御処理とをコンピュータに実行させる。第１態様のプログラムによれば、前述の第１態様に係る音響解析装置と同様の作用および効果が奏される。
【００１４】
本発明の第２態様に係るプログラムは、音響信号の各周波数成分の定位方向を単位期間毎に解析する定位解析処理と、音響信号の各周波数成分の定位方向を示す定位軸と各周波数成分の周波数を示す周波数軸とが設定された定位-周波数平面に、音響信号のうち対象時点に対応する単位期間の各周波数成分の定位方向に対応した音像図形を配置した画像を、第１解析画像および第２解析画像として表示装置に表示させる表示制御処理とをコンピュータに実行させ、表示制御処理では、定位-周波数平面内に指定された第１選択領域内の各周波数成分を抑圧または強調した音響信号について第１解析画像を表示させる。第２態様のプログラムによれば、前述の第２態様に係る音響解析装置と同様の作用および効果が奏される。第１態様および第２態様のプログラムは、コンピュータが読取可能な記録媒体に格納された形態で提供されてコンピュータにインストールされるほか、通信網を介した配信の形態で提供されてコンピュータにインストールされる。
【図面の簡単な説明】
【００１５】
【図１】本発明の第１実施形態に係る音響解析装置のブロック図である。
【図２】第１実施形態における解析結果画像の模式図である。
【図３】第２実施形態における解析結果画像の模式図である。
【図４】第３実施形態に係る音響解析装置のブロック図である。
【図５】第３実施形態における解析結果画像の模式図である。
【図６】第３実施形態における解析結果画像の模式図である。
【図７】第４実施形態における解析結果画像の模式図である。
【発明を実施するための形態】
【００１６】
＜第１実施形態＞
図１は、本発明の第１実施形態に係る音響解析装置１００Aのブロック図である。図１に示すように、音響解析装置１００Aは、演算処理装置１２と記憶装置１４と表示装置２２と入力装置２４と信号供給装置２６とを具備するコンピュータシステムで実現される。表示装置２２（例えば液晶表示器）は、演算処理装置１２からの指示に応じて各種の画像を表示する。入力装置２４は、音響解析装置１００Aに対する利用者からの指示を受付ける機器であり、例えば利用者が操作する複数の操作子を含んで構成される。なお、表示装置２２と一体に構成されたタッチパネルを入力装置２４として利用することも可能である。
【００１７】
信号供給装置２６は、相異なる位置に存在する音源が発音した複数の音響（歌唱音や伴奏音）の混合音の波形を示す時間領域の音響信号ｘ(t)を演算処理装置１２に供給する。音響信号ｘ(t)は、各音源に対応する音像が相異なる位置に定位するように収音または加工（例えば左右チャネル間の強度比や遅延量を変更する処理）された左チャネルの音響信号ｘL(t)と右チャネルの音響信号ｘR(t)とで構成されるステレオ形式の信号である。周囲の音響を収音して音響信号ｘ(t)を生成する収音機器や、可搬型または内蔵型の記録媒体（例えばＣＤ）から音響信号ｘ(t)を取得する再生装置や、通信網から音響信号ｘ(t)を受信する通信装置が信号供給装置２６として採用され得る。音響解析装置１００Aは、音響信号ｘ(t)を解析して結果を表示する信号処理装置として機能する。
【００１８】
記憶装置１４は、演算処理装置１２が実行するプログラムＰGMや演算処理装置１２が使用する各種の情報を記憶する。半導体記録媒体や磁気記録媒体等の公知の記録媒体または複数種の記録媒体の組合せが記憶装置１４として任意に採用される。なお、音響信号ｘ(t)を記憶装置１４に格納した構成（したがって信号供給装置２６は省略される）も採用され得る。
【００１９】
演算処理装置１２は、記憶装置１４に格納されたプログラムＰGMを実行することで、音響信号ｘ(t)を解析して結果を提示ための複数の機能（周波数分析部３２，定位解析部３４，表示制御部３６）を実現する。なお、演算処理装置１２の各機能を複数の集積回路に分散した構成や、専用の電子回路（ＤＳＰ）が各機能を実現する構成も採用され得る。
【００２０】
周波数分析部３２は、音響信号ｘL(t)の各周波数成分の信号強度（振幅またはパワー）ＸL[k]と音響信号ｘR(t)の各周波数成分の信号強度ＸR[k]とを時間軸上の単位期間（フレーム）毎に順次に生成する。記号ｋは、周波数軸上に設定されたＫ個の周波数（周波数帯域）のうち任意の１個の周波数を意味する。信号強度ＸL[k]および信号強度ＸR[k]（周波数スペクトル）の算定には、例えば短時間フーリエ変換等の公知の周波数分析が任意に採用される。通過帯域が相違するＫ個の帯域通過フィルタで構成されるフィルタバンクを周波数分析部３２として採用することも可能である。
【００２１】
定位解析部３４は、音響信号ｘ(t)のＫ個の周波数成分の各々が定位する方向（以下「定位方向」という）θ[k]を単位期間毎に算定する。定位方向θ[k]の算定には公知の技術が任意に利用され得るが、例えば、音響信号ｘL(t)の信号強度ＸL[k]と音響信号ｘR(t)の信号強度ＸR[k]とを利用した以下の数式(1)の演算が定位方向θ[k]の算定に好適に採用される。なお、数式(1)については、例えば、M. Vinyes, J. Bonada, A. Loscos, "Demixing Commercial Music Productions via Human-Assisted Time-Frequency Masking"，Audio Engineering Society 120th Convention, France, 2006にも詳述されている。
【数１】
2013157730.tif 000003
【００２２】
表示制御部３６は、定位解析部３４による解析結果を表現する図２の画像（以下「解析結果画像」という）Ｇを表示装置２２に表示させる。図２に示すように、解析結果画像Ｇは、第１領域Ｇ1と第２領域Ｇ2とを含んで構成される。
【００２３】
第１領域Ｇ1には、音響信号ｘL(t)の波形ＷLと音響信号ｘR(t)の波形ＷRとが配置される。波形ＷLと波形ＷRとは共通の時間軸ＡTのもとで表示される。また、時間軸ＡT上の特定の時点（以下「第１対象時点」という）Ｔ1を指示する指示子（カーソル）Ｃ1と、時間軸上の特定の時点（以下「第２対象時点」という）Ｔ2を指示する指示子Ｃ2とが第１領域Ｇ1内に配置される。利用者は、入力装置２４を適宜に操作して指示子Ｃ1または指示子Ｃ2を時間軸ＡTの方向に移動させることで第１対象時点Ｔ1と第２対象時点Ｔ2とを個別に設定することが可能である。第１対象時点Ｔ1と第２対象時点Ｔ2とが時間軸ＡT上の相異なる時点に設定された場合を図２では例示したが、第１対象時点Ｔ1と第２対象時点Ｔ2とを同一の時点に設定することも可能である。
【００２４】
解析結果画像Ｇの第２領域Ｇ2には、第１解析画像Ｑ1と第２解析画像Ｑ2とが並列に配置される。第１解析画像Ｑ1は、音響信号ｘ(t)のうち第１対象時点Ｔ1に対応する単位期間の各周波数成分について定位方向θ[k]の分布を表現する画像であり、第２解析画像Ｑ2は、音響信号ｘ(t)のうち第２対象時点Ｔ2に対応する単位期間の各周波数成分について定位方向θ[k]の分布を表現する画像である。
【００２５】
第１解析画像Ｑ1および第２解析画像Ｑ2の各々には、音響信号ｘ(t)の各周波数成分の定位方向θ[k]を示す定位軸ＡPと各周波数成分の周波数を示す周波数軸ＡFとが設定された定位-周波数平面Ｒが配置される。定位軸ＡPの基準点（中点）Ｐ0が正面方向の定位（θ[k]＝０）を意味し、基準点Ｐ0の左側の領域が左方向に対する定位を意味し、基準点Ｐ0の右側の領域が右方向に対する定位を意味する。
【００２６】
第１解析画像Ｑ1の定位-周波数平面Ｒ内には、第１対象時点Ｔ1に対応する単位期間内での音響信号ｘ(t)の各周波数成分を表象する複数の音像図形ｒが配置される。同様に、第２解析画像Ｑ2の定位-周波数平面Ｒ内には、第２対象時点Ｔ2に対応する単位期間内での音響信号ｘ(t)の各周波数成分を表象する複数の音像図形ｒが配置される。第１実施形態の音像図形ｒは円形状の図像である。各周波数成分に対応する音像図形ｒは、周波数軸ＡFのうちその周波数成分の周波数と、定位軸ＡPのうちその周波数成分について定位解析部３４が算定した定位方向θ[k]とに対応する座標に位置する。したがって、利用者は、第１解析画像Ｑ1の各音像図形ｒの分布を視認することで音響信号ｘ(t)のうち第１対象時点Ｔ1での各周波数成分の定位方向θ[k]の傾向を把握することが可能であり、第２解析画像Ｑ2の各音像図形ｒの分布を視認することで音響信号ｘ(t)のうち第２対象時点Ｔ2での各周波数成分の定位方向θ[k]の傾向を把握することが可能である。
【００２７】
表示制御部３６は、第１解析画像Ｑ1内の各音像図形ｒのサイズ（直径）を音響信号ｘ(t)のうち第１対象時点Ｔ1に対応する単位期間内での各周波数成分の信号強度Ｘ[k]に応じて可変に設定し、第２解析画像Ｑ2内の各音像図形ｒのサイズを音響信号ｘ(t)のうち第２対象時点Ｔ2に対応する単位期間での各周波数成分の信号強度Ｘ[k]に応じて可変に設定する。具体的には、信号強度Ｘ[k]が高い周波数成分の音像図形ｒほど大径に設定される。信号強度Ｘ[k]は、例えば信号強度ＸL[k]と信号強度ＸR[k]との平均である。ただし、信号強度ＸL[k]および信号強度ＸR[k]の一方を信号強度Ｘ[k]とすることも可能である。なお、音像図形ｒの色彩や階調等の表示態様に応じて各周波数成分の信号強度Ｘ[k]を表現することも可能である。
【００２８】
以上に説明した通り、第１実施形態では、音響信号ｘ(t)のうち第１対象時点Ｔ1に対応する第１解析画像Ｑ1と第２対象時点Ｔ2に対応する第２解析画像Ｑ2とが並列に配置される。したがって、利用者は、音響信号ｘ(t)のうち第１対象時点Ｔ1での各周波数成分の定位方向θ[k]の分布と第２対象時点Ｔ2での各周波数成分の定位方向θ[k]の分布とを対比することで両者間の相違等を容易に評価することが可能である。
【００２９】
＜第２実施形態＞
本発明の第２実施形態を以下に説明する。なお、以下に例示する各態様において作用や機能が第１実施形態と同等である要素については、第１実施形態の説明で参照した符号を流用して各々の詳細な説明を適宜に省略する。
【００３０】
図３は、第２実施形態における解析結果画像Ｇの模式図である。図３に示すように、第２実施形態の解析結果画像Ｇでは、第１対象時点Ｔ1に対応する第１解析区間Ｅ1と第２対象時点Ｔ2に対応する第２解析区間Ｅ2とが第１領域Ｇ1内の時間軸ＡT上に設定される。第１解析区間Ｅ1は、例えば第１対象時点Ｔ1を端点（始点，終点）または中点とする所定長の区間である。また、第２解析区間Ｅ2は、例えば第２対象時点Ｔ2を端点または中点とする所定長の区間である。第１解析区間Ｅ1および第２解析区間Ｅ2の各々は複数の単位期間を含んで構成される。利用者は、入力装置２４を適宜に操作することで、第１解析区間Ｅ1および第２解析区間Ｅ2の各々の時間軸ＡT上の位置や区間長を任意に変更することが可能である。
【００３１】
第２実施形態において第２領域Ｇ2に配置される第１解析画像Ｑ1および第２解析画像Ｑ2の各々は、度数分布ＨPと度数分布ＨFとを含んで構成される。第１解析画像Ｑ1の度数分布ＨPは、定位方向θ[k]の数値範囲を区分した階級毎に、第１解析区間Ｅ1内の複数の単位期間にわたる各周波数成分の度数を表示した図表であり、第２解析画像Ｑ2の度数分布ＨPは、第２解析区間Ｅ2内の各周波数成分の度数を定位方向θ[k]の階級毎に表示した図表である。また、第１解析画像Ｑ1の度数分布ＨFは、周波数の数値範囲を区分した階級毎に、第１解析区間Ｅ1内の複数の単位期間にわたる各周波数成分の度数を表示した図表であり、第２解析画像Ｑ2の度数分布ＨFは、第２解析区間Ｅ2内の各周波数成分の度数を周波数の階級毎に表示した図表である。
【００３２】
したがって、第１解析画像Ｑ1および第２解析画像Ｑ2を視認することで、利用者は、特定の定位方向θ[k]に定位する周波数成分の度数（度数分布ＨP）や特定の周波数の各周波数成分の度数（度数分布ＨF）を、第１解析区間Ｅ1内と第２解析区間Ｅ2内とで対比しながら評価できるという利点がある。
【００３３】
＜第３実施形態＞
図４は、第３実施形態に係る音響解析装置１００Bのブロック図である。図４に示すように、第３実施形態の音響解析装置１００Bは、第１実施形態の音響解析装置１００Aに信号処理部３８を追加した構成である。信号処理部３８は、音響信号ｘ(t)の各周波数成分を周波数毎に調整する。具体的には、信号処理部３８は、音響信号ｘL(t)の信号強度ＸL[k]を周波数毎に個別に調整することで音響信号ｙL(t)を生成し、音響信号ｘR(t)の信号強度ＸR[k]を周波数毎に個別に調整することで音響信号ｙR(t)を生成する。
【００３４】
図５は、第３実施形態における解析結果画像Ｇの模式図である。図５に示すように、第３実施形態の解析結果画像Ｇは、第１実施形態と同様に、音響信号ｘL(t)の波形ＷLおよび音響信号ｘR(t)の波形ＷRが配置された第１領域Ｇ1と、定位-周波数平面Ｒ内での音響信号ｘ(t)の各周波数成分の分布を音像図形ｒで表現する第１解析画像Ｑ1および第２解析画像Ｑ2が配置された第２領域Ｇ2とを含んで構成される。第１領域Ｇ1内には時間軸ＡT上の特定の時点（以下「対象時点」という）Ｔを指示する指示子Ｃが配置される。利用者は、入力装置２４を操作して指示子Ｃを時間軸ＡTの方向に移動させることで対象時点Ｔを任意に設定することが可能である。
【００３５】
第３実施形態では、第１解析画像Ｑ1および第２解析画像Ｑ2の双方が、音響信号ｘ(t)のうち共通の対象時点Ｔにおける各周波数成分の定位方向θ[k]を表現する。したがって、第１解析画像Ｑ1および第２解析画像Ｑ2の初期的な状態（後述の第１選択領域Ｓ1や第２選択領域Ｓ2が指定されていない状態）では、各音像図形ｒの分布は第１解析画像Ｑ1と第２解析画像Ｑ2とで共通する。
【００３６】
利用者は、入力装置２４を適宜に操作することで、図５に示すように、第１解析画像Ｑ1の定位-周波数平面Ｒ内に特定の領域（以下「第１選択領域」という）Ｓ1を指定することが可能である。第１選択領域Ｓ1のサイズや位置は、利用者からの指示に応じて可変に設定される。なお、図５では矩形状の第１選択領域Ｓ1を例示したが、第１選択領域Ｓ1の形状は任意である。また、図５では１個の第１選択領域Ｓ1を例示したが、第１解析画像Ｑ1内に複数の第１選択領域Ｓ1（各第１選択領域Ｓ1の重複の有無は不問）を設定することも可能である。
【００３７】
利用者が第１選択領域Ｓ1を指定すると、信号処理部３８は、音響信号ｘ(t)のうち第１選択領域Ｓ1の内側の周波数成分（すなわち第１選択領域Ｓ1に対応する定位方向に定位する周波数成分）を抑圧することで音響信号ｙ1(t)（ｙL(t)，ｙR(t)）を生成する。具体的には、信号処理部３８は、音響信号ｘL(t)および音響信号ｘR(t)の各々のＫ個の周波数成分のうち第１選択領域Ｓ1の内側に存在する音像図形ｒに対応する各周波数成分を抑圧（理想的には除去）することで音響信号ｙ1(t)を生成する。また、定位解析部３４は、信号処理部３８が生成した音響信号ｙ1(t)について数式(1)と同様の演算を実行することで各周波数成分の定位方向θ[k]を単位期間毎に算定する。
【００３８】
表示制御部３６は、現段階で表示されている第１解析画像Ｑ1を、信号処理部３８による処理後の音響信号ｙ1(t)のうち対象時点Ｔの各周波数成分の定位方向θ[k]の分布を表現する内容に更新する。前述のように音響信号ｘ(t)のうち第１選択領域Ｓ1の内側の各周波数成分は抑圧されるから、図５に示すように、第１解析画像Ｑ1の定位-周波数平面Ｒのうち第１選択領域Ｓ1の内側に配置されていた各音像図形ｒは第１選択領域Ｓ1の指定前と比較して縮小または消去される。
【００３９】
以上に説明した通り、第１選択領域Ｓ1の内側の各周波数成分が抑圧された音響信号ｙ1(t)の周波数成分毎の定位方向θ[k]を表現する第１解析画像Ｑ1と、各周波数成分の抑圧前の音響信号ｘ(t)の周波数成分毎の定位方向θ[k]を表現する第２解析画像Ｑ2とが表示装置２２に並列に表示される。したがって、利用者は、第１解析画像Ｑ1と第２解析画像Ｑ2とを相互に対比することで、信号処理部３８による処理の効果を視覚的および直観的に把握することが可能である。
【００４０】
利用者は、第１解析画像Ｑ1の定位-周波数平面Ｒ内に第１選択領域Ｓ1を指定した状態で、図６に示すように、第２解析画像Ｑ2の定位-周波数平面Ｒ内に第２選択領域Ｓ2を任意に指定することが可能である。第２選択領域Ｓ2のサイズおよび位置は、入力装置２４に対する利用者からの指示に応じて第１選択領域Ｓ1とは個別に設定される。なお、図６では１個の第２選択領域Ｓ2を例示したが、第２解析画像Ｑ2内に複数の第２選択領域Ｓ2（各第２選択領域Ｓ2の重複の有無は不問）を設定することも可能である。
【００４１】
利用者が第２選択領域Ｓ2を指定すると、信号処理部３８は、音響信号ｙ1(t)の生成と同様の方法で、音響信号ｘ(t)のうち第２選択領域Ｓ2の内側の周波数成分（すなわち、第２選択領域Ｓ2に対応する定位方向に定位する周波数成分）を抑圧した音響信号ｙ2(t)を生成する。また、定位解析部３４は、音響信号ｙ2(t)の各周波数成分について単位期間毎に定位方向θ[k]を算定する。
【００４２】
表示制御部３６は、現段階で表示されている第２解析画像Ｑ2を、信号処理部３８による処理後の音響信号ｙ2(t)のうち対象時点Ｔの各周波数成分の定位方向θ[k]の分布に更新する。したがって、図６に示すように、第２解析画像Ｑ2の定位-周波数平面Ｒのうち第２選択領域Ｓ2の内側に存在していた各音像図形ｒは第２選択領域Ｓ2の指定前と比較して縮小または消去される。
【００４３】
以上に説明したように、音響信号ｘ(t)のうち第１選択領域Ｓ1の内側の各周波数成分を抑圧した音響信号ｙ1(t)の各周波数成分の定位方向θ[k]を表現する第１解析画像Ｑ1と、第１選択領域Ｓ1とは相違する第２選択領域Ｓ2の内側の各周波数成分を抑圧した音響信号ｙ2(t)の各周波数成分の定位方向θ[k]を表現する第２解析画像Ｑ2とが表示装置２２に並列に表示される。したがって、利用者は、第１解析画像Ｑ1と第２解析画像Ｑ2とを相互に対比することで、第１選択領域Ｓ1の内側の各周波数成分の抑圧の効果と第２選択領域Ｓ2の内側の各周波数成分の抑圧の効果との相違を視覚的および直観的に把握することが可能である。
【００４４】
＜第４実施形態＞
図７は、第４実施形態における解析結果画像Ｇの模式図である。図７に示すように、第４実施形態の解析結果画像Ｇは、第１領域Ｇ1と第２領域Ｇ2と第３領域Ｇ3とを含んで構成される。第３実施形態と同様に、第１領域Ｇ1には音響信号ｘL(t)の波形ＷLと音響信号ｘR(t)の波形ＷRとが配置され、第２領域Ｇ2には、第１選択領域Ｓ1の内側の各周波数成分の抑圧後の各周波数成分の定位方向θ[k]を表現する第１解析画像Ｑ1と第２選択領域Ｓ2の内側の各周波数成分の抑圧後の各周波数成分の定位方向θ[k]を表現する第２解析画像Ｑ2とが配置される。
【００４５】
第３領域Ｇ3には差分画像Ｄが配置される。差分画像Ｄは、第１選択領域Ｓ1の内側の各周波数成分を抑圧した音響信号ｙ1(t)と第２選択領域Ｓ2の内側の各周波数成分を抑圧した音響信号ｙ2(t)との差分を表現する画像である。第４実施形態の差分画像Ｄは、周波数領域画像ＤFと時間領域画像ＤTとを含んで構成される。
【００４６】
周波数領域画像ＤFは、音響信号ｙ1(t)の周波数スペクトルＹ1[k]と音響信号ｙ2(t)の周波数スペクトルＹ2[k]との差分の周波数スペクトル（Ｙ1[k]−Ｙ2[k]）を表現する。周波数スペクトルＹ1[k]および周波数スペクトルＹ2[k]の各々は、音響信号ｙL(t)および音響信号ｙR(t)の片方のスペクトルまたは両者間の平均のスペクトルである。
【００４７】
時間領域画像ＤTは、音響信号ｙ1(t)と音響信号ｙ2(t)との差分の波形を表現する。具体的には、時間領域画像ＤTは、左チャネルの差分波形ΔＷLと右チャネルの差分波形ΔＷRとを共通の時間軸ＡTのもとで配置した画像である。差分波形ΔＷLは、音響信号ｙ1(t)の左チャネルの音響信号ｙL(t)と音響信号ｙ2(t)の左チャネルの音響信号ｙL(t)との差分に相当し、差分波形ΔＷRは、音響信号ｙ1(t)の右チャネルの音響信号ｙR(t)と音響信号ｙ2(t)の右チャネルの音響信号ｙR(t)との差分に相当する。なお、周波数領域画像ＤFおよび時間領域画像ＤTの一方のみを表示することも可能である。
【００４８】
以上に説明した通り、第４実施形態では、第１選択領域Ｓ1の内側の各周波数成分を抑圧した音響信号ｙ1(t)と第２選択領域Ｓ2の内側の各周波数成分を抑圧した音響信号ｙ2(t)との差分を表現する差分画像Ｄが表示装置２２に表示されるから、第１選択領域Ｓ1の内側の各周波数成分を抑圧した場合と第２選択領域Ｓ2の内側の各周波数成分を抑圧した場合との効果の相違を視覚的および直観的に把握できるという利点がある。
【００４９】
＜変形例＞
以上の各形態には様々な変形が加えられる。具体的な変形の態様を以下に例示する。以下の例示から任意に選択された２以上の態様は併合され得る。
【００５０】
（１）前述の各形態を適宜に併合することも可能である。例えば、第１実施形態と第３実施形態とを併合した構成では、第１対象時点Ｔ1に対応する第１解析画像Ｑ1に第１選択領域Ｓ1が設定され、第２対象時点Ｔ2に対応する第２解析画像Ｑ2に第２選択領域Ｓ2が設定される。第１解析画像Ｑ1は、音響信号ｘ(t)から第１選択領域Ｓ1の内側の各周波数成分を抑圧した音響信号ｙ1(t)のうち第１対象時点Ｔ1に対応する単位期間の各周波数成分について定位方向θ[k]を表現する。同様に、第２解析画像Ｑ2は、音響信号ｘ(t)から第２選択領域Ｓ2の内側の各周波数成分を抑圧した音響信号ｙ2(t)のうち第２対象時点Ｔ2に対応する単位期間の各周波数成分について定位方向θ[k]を表現する。
【００５１】
（２）前述の各形態では、音響信号ｘ(t)のうち第１選択領域Ｓ1または第２選択領域Ｓ2の内側の各周波数成分を抑圧したが、第１選択領域Ｓ1または第２選択領域Ｓ2の内側の各周波数成分を外側の各周波数成分に対して強調（理想的には抽出）することも可能である。具体的には、信号処理部３８は、音響信号ｘ(t)のＫ個の周波数成分のうち第１選択領域Ｓ1の外側に存在する音像図形ｒに対応する各周波数成分を抑圧（理想的には除去）することで音響信号ｙ1(t)を生成する。同様に、音響信号ｘ(t)のうち第２選択領域Ｓ2の外側の各周波数成分を抑圧することで音響信号ｙ2(t)が生成される。
【００５２】
（３）音響信号ｘ(t)や音響信号ｙ(t)（ｙ1(t)，ｙ2(t)）を放音装置（例えばスピーカやヘッドホン）から再生する構成も好適である。例えば第１実施形態や第２実施形態では、利用者が第１解析画像Ｑ1を指定して再生を指示すると、音響信号ｘ(t)のうち第１対象時点Ｔ1以降の区間が再生され、利用者が第２解析画像Ｑ2を指定して再生を指示すると、音響信号ｘ(t)のうち第２対象時点Ｔ2以降の区間が再生される。したがって、第１対象時点Ｔ1以降の再生音と第２対象時点Ｔ2以降の再生音とを利用者が聴感的に対比できるという利点がある。
【００５３】
また、第３実施形態や第４実施形態では、利用者が第１解析画像Ｑ1を指定して再生を指示すると、音響信号ｙ1(t)のうち対象時点Ｔ以降の区間が再生され、利用者が第２解析画像Ｑ2を指定して再生を指示すると、音響信号ｙ2(t)のうち対象時点Ｔ以降の区間が再生される。したがって、第１選択領域Ｓ1内の各周波数成分が抑圧または強調された再生音と第２選択領域Ｓ2内の各周波数成分が抑圧または強調された再生音とを利用者が聴感的に対比できるという利点がある。
【００５４】
（４）前述の各形態における第１領域Ｇ1内の波形ＷLおよび波形ＷRに代えて（または波形ＷLおよび波形ＷRとともに）、音響信号ｘL(t)のスペクトログラムと音響信号ｘR(t)のスペクトログラムとを表示装置２２に表示することも可能である。音響信号ｘL(t)および音響信号ｘR(t)の各々のスペクトログラムを図５の解析結果画像Ｇ内に配置する場合、第１解析画像Ｑ1内の第１選択領域Ｓ1に対応する帯域が各スペクトログラム上で利用者に提示される。例えば、第１選択領域Ｓ1が周波数軸上で周波数ｆ1から周波数ｆ2にわたる場合、周波数ｆ1から周波数ｆ2までの帯域をスペクトログラム上で利用者が視覚的に識別できるように当該帯域が強調表示される。また、音響信号ｘL(t)および音響信号ｘR(t)の各々のスペクトログラムを図６の解析結果画像Ｇ内に配置する場合、第１解析画像Ｑ1内の第１選択領域Ｓ1に対応する帯域と第２解析画像Ｑ2内の第２選択領域Ｓ2に対応する帯域とが各スペクトログラム上で利用者に提示される。なお、第１選択領域Ｓ1や第２選択領域Ｓ2に対応する帯域のみについて音響信号ｘL(t)や音響信号ｘR(t)のスペクトログラムを表示する構成も採用され得る。また、以上の各例示と同様に、第４実施形態における差分波形ΔＷLおよび差分波形ΔＷRに代えて（または差分波形ΔＷLおよび差分波形ΔＷRとともに）、差分波形ΔＷLのスペクトログラムと差分波形ΔＷRのスペクトログラムとを表示装置２２に表示することも可能である。
【００５５】
（５）前述の各形態では、矩形状の第１選択領域Ｓ1および第２選択領域Ｓ2を例示したが、第１選択領域Ｓ1および第２選択領域Ｓ2の形状は任意である。例えば、利用者がフリーハンドで任意の形状（例えば多角形や閉曲線）の第１選択領域Ｓ1および第２選択領域Ｓ2を指定できる構成も好適である。
【００５６】
（６）第１実施形態や第２実施形態では、時間軸上の相異なる２点（第１対象時点Ｔ1，第２対象時点Ｔ2）に対応する第１解析画像Ｑ1および第２解析画像Ｑ2を表示装置２２に表示したが、時間軸上の相異なる時点に対応する３個以上の解析画像（Ｑ1，Ｑ2，……）を表示装置２２に表示することも可能である。第３実施形態や第４実施形態では、表示装置２２に３個以上の解析画像（Ｑ1，Ｑ2，……）が表示され得る。各解析画像には個別に選択領域（Ｓ1，Ｓ2，……）が指定される。
【符号の説明】
【００５７】
１００A，１００B……音響解析装置、１２……演算処理装置、１４……記憶装置、２２……表示装置、２４……入力装置、２６……信号供給装置、３２……周波数分析部、３４……定位解析部、３６……表示制御部、３８……信号処理部、Ｇ……解析結果画像、Ｇ1……第１領域、Ｇ2……第２領域、Ｇ3……第３領域、Ｑ1……第１解析画像、Ｑ2……第２解析画像、Ｒ……定位-周波数平面、ｒ……音像図形、Ｔ……対象時点、Ｔ1……第１対象時点、Ｔ2……第２対象時点、ＨP，ＨF……度数分布、Ｓ1……第１選択領域、Ｓ2……第２選択領域、Ｄ……差分画像、ＤF……周波数領域画像、ＤT……時間領域画像。
【図１】
2013157730.tif 000004
【図２】
2013157730.tif 000005
【図３】
2013157730.tif 000006
【図４】
2013157730.tif 000007
【図５】
2013157730.tif 000008
【図６】
2013157730.tif 000009
【図７】
2013157730.tif 000010